(57)【要約】【課題】使用者の負担を軽減することができるフック、及び該フックを備える吊下げ具を提供する。【解決手段】本実施の形態に係るフック２は、物干し竿４（棒体）に掛止されるフック２において、一部が欠落した環状をなし、欠落部分を通して内側に前記物干し竿４を受け入れる基体２１と、該基体２１の内側に架設されており、該基体２１の内側に受け入れられた前記物干し竿４に接触して弾性変形し、前記物干し竿４に巻き付く滑り止め部材３とを備えることを特徴とする。【選択図】図５
2020062103.tif 000002
【特許請求の範囲】
【請求項１】
棒体に掛止されるフックにおいて、
一部が欠落した環状をなし、欠落部分を通して内側に前記棒体を受け入れる基体と、
該基体の内側に架設されており、該基体の内側に受け入れられた前記棒体に接触して弾性変形し、前記棒体に巻き付く滑り止め部材と
を備えることを特徴とするフック。
【請求項２】
前記滑り止め部材は、
前記基体の内側に受け入れられた前記棒体の周面に一面が対向して前記棒体に巻き付く帯状の本体部と、
該本体部の他面における長手方向の両端部から立ち上がり、夫々の先端部が前記基体に枢支されており、前記本体部が前記基体に巻き付く場合に、互いに接近する方向に揺動する２つの揺動片と
を備えることを特徴とする請求項１に記載のフック。
【請求項３】
前記本体部の前記一面に、夫々前記本体部の幅方向に延びる複数の突条が前記本体部の長さ方向に並設されていることを特徴とする請求項２に記載のフック。
【請求項４】
前記本体部は、前記２つの揺動片の間で前記一面の側を凹として湾曲していることを特徴とする請求項２又は３に記載のフック。
【請求項５】
被吊下げ物が吊り下げられる吊下げ具において、
請求項１から４の何れか一項に記載のフックを備えることを特徴とする吊下げ具。
【発明の詳細な説明】
【技術分野】
【０００１】
本発明は、棒体に掛止されるフック、及び該フックを備え、被吊下げ物が吊り下げられる吊下げ具に関する。
【背景技術】
【０００２】
特許文献１に記載されている物干し器（吊下げ具）は、吊下げフック（フック）とピンチ（洗濯挟み）とを備える。吊下げフックが物干し竿（棒体）に掛止されることによって、物干し器は物干し竿から吊り下げられる。ピンチが洗濯物（被吊下げ物）を挟持することによって、洗濯物は物干し器から吊り下げられる。
【０００３】
吊下げフックの上部は、一部が欠落した環状をなす。吊下げフックの欠落部分は、吊下げフックの欠落部分を閉止する方向に付勢された閉止体によって閉止されている。閉止体には操作レバーが設けられている。使用者は、操作レバーを操作することによって吊下げフックの欠落部分を開放し、開放された吊下げフックの欠落部分を通して、吊下げフックの上部を物干し竿に掛止させる。使用者が操作レバーから手を放すことによって、閉止体が吊下げフックの欠落部分を閉止すると共に、閉止体と吊下げフックの上部との間に物干し竿が挟持される。故に、吊下げフックの物干し竿からの脱離を防止することができる。
【先行技術文献】
【特許文献】
【０００４】
【特許文献１】特開２００３−２４６９５号公報
【発明の概要】
【発明が解決しようとする課題】
【０００５】
実用上、物干し器に洗濯物が吊り下げられている状態で、使用者が物干し竿に吊下げフックを掛止させることがある。洗濯物が吊り下げられている物干し器は重いので、物干し器を支えつつ操作レバーを操作することは、使用者にとって大きな負担である。
【０００６】
本発明は斯かる事情に鑑みてなされたものであり、その主たる目的は、使用者の負担を軽減することができるフック、及び該フックを備える吊下げ具を提供することにある。
【課題を解決するための手段】
【０００７】
本実施の形態に係るフックは、棒体に掛止されるフックにおいて、一部が欠落した環状をなし、欠落部分を通して内側に前記棒体を受け入れる基体と、該基体の内側に架設されており、該基体の内側に受け入れられた前記棒体に接触して弾性変形し、前記棒体に巻き付く滑り止め部材とを備えることを特徴とする。
【０００８】
本実施の形態にあっては、一部が欠落した環状の基体の内側に、滑り止め部材が架設されている。
基体の欠落部分を通して、基体の内側に棒体が受け入れられる。滑り止め部材は、基体の内側に受け入れられた棒体に接触して弾性変形し、棒体に巻き付く。
滑り止め部材が棒体に巻き付くので、棒体の周方向にフックが滑ることを防止することができる。故に、フックの棒体からの脱離を防止することができる。
また、滑り止め部材が棒体に巻き付くので、棒体の長手方向にフックが滑ることを防止することができる。
【０００９】
滑り止め部材の棒体への巻き付きは、使用者が基体を棒体に掛止させるだけで実現する。故に、使用者の負担を軽減することができる。
【００１０】
本実施の形態に係るフックは、前記滑り止め部材は、前記基体の内側に受け入れられた前記棒体の周面に一面が対向して前記棒体に巻き付く帯状の本体部と、該本体部の他面における長手方向の両端部から立ち上がり、夫々の先端部が前記基体に枢支されており、前記本体部が前記基体に巻き付く場合に、互いに接近する方向に揺動する２つの揺動片とを備えることを特徴とする。
【００１１】
本実施の形態にあっては、滑り止め部材が帯状の本体部と２つの揺動片とを備える。
本体部は帯状をなす。本体部の一面は、基体の内側に受け入れられた棒体の周面に対向する。本体部は棒体に巻き付く。
２つの揺動片は、本体部の他面（棒体に対向する面の裏面）における長手方向の両端部から立ち上がっている。２つの揺動片は、本体部が基体に巻き付く場合に、互いに接近する方向に揺動する。故に、本体部の長手方向の両端部が互いに接近するので、本体部を棒体に確実に巻き付けることができる。
【００１２】
本実施の形態に係るフックは、前記本体部の前記一面に、夫々前記本体部の幅方向に延びる複数の突条が前記本体部の長さ方向に並設されていることを特徴とする。
【００１３】
本実施の形態にあっては、本体部の一面（棒体に対向する面）に、複数の突条が設けられている。複数の突条は本体部の長さ方向に並び、各突条は本体部の幅方向に延びる。故に、本体部の、棒体の周方向の滑り止め効果を更に向上させることができる。
【００１４】
本実施の形態に係るフックは、前記本体部は、前記２つの揺動片の間で前記一面の側を凹として湾曲していることを特徴とする。
【００１５】
本実施の形態にあっては、本体部が２つの揺動片の間で湾曲している。本体部の一面（棒体に対向する面）の側が凹なので、本体部は棒体に巻き付く方向に変形し易い。
【００１６】
本実施の形態に係る吊下げ具は、被吊下げ物が吊り下げられる吊下げ具において、本実施の形態に係るフックを備えることを特徴とする。
【００１７】
本実施の形態にあっては、吊下げ具が本実施の形態に係るフックを備えている。
使用者が基体を棒体に掛止させるだけで、フックの滑り止め部材が棒体に巻き付く。故に、使用者の負担を軽減することができる。
また、滑り止め部材が棒体に巻き付くので、棒体の周方向にフックが滑ることを防止することができる。故に、フックの棒体からの脱離を防止することができるので、棒体から吊下げ具が外れて落下する虞がない。
また、滑り止め部材が棒体に巻き付くので、棒体の長手方向にフックが滑ることを防止することができる。故に、吊下げ具が棒体の長手方向に位置ずれする虞がない。
【発明の効果】
【００１８】
本実施の形態のフック及び吊下げ具によれば、使用者の負担を軽減することができる。
【図面の簡単な説明】
【００１９】
【図１】実施の形態に係る吊下げ具の斜視図である。
【図２】フックの斜視図である。
【図３】フックの断面図である。
【図４】物干し竿に掛止される途中のフックの断面図である。
【図５】物干し竿に掛止されているフックの断面図である。
【図６】物干し竿によらず滑り止め部材の本体部を変形させた場合のフックの断面図である。
【発明を実施するための形態】
【００２０】
以下、本発明を、その実施の形態を示す図面に基づいて詳述する。
【００２１】
図１は、実施の形態に係る吊下げ具の斜視図である。
図中１は吊下げ具であり、吊下げ具１は支持枠１１を備える。
支持枠１１は一方向に長い矩形状をなす。支持枠１１の２つの長辺間には、複数の支持桟１２，１２，…が架設されている。各支持桟１２は、支持枠１１の短辺に平行である。支持枠１１の４辺及び支持桟１２，１２，…夫々には、複数の洗濯挟み１３，１３，…が吊り下げ支持されている。
支持枠１１の２つの長辺夫々の中央部に亘って、アーチ状の橋絡部１４が架設されている。橋絡部１４の長手方向の中央部には、フック２が取り付けられている。
【００２２】
図２は、フック２の斜視図である。
図３は、フック２の断面図である。
フック２は、基体２１を備える。
基体２１は、一部が欠落した長円環状をなす。以下では、基体２１の長軸方向を上下方向といい、基体２１の短軸方向を左右方向と言う。基体２１の欠落部分は、長軸と短軸とで４分割された４つの領域の内、図３に向かって左下の領域である。
【００２３】
基体２１は、２枚の基板２１１，２１１を備える。基板２１１，２１１は互いに同じ形状の平板である。基板２１１，２１１夫々の一面は、互いに平行に、前後方向に向かい合っている。基板２１１，２１１夫々の周縁部の間には、複数の側壁２１２，２１２，…が架設されている。基板２１１，２１１は側壁２１２，２１２，…を介して一体化されている。側壁２１２，２１２，…の内面には複数のリブ２１３，２１３，…が突設されている。リブ２１３，２１３，…によってフック２は補強されている。側壁２１２，２１２，…及びリブ２１３，２１３，…夫々は、後述する滑り止め部材３に干渉しないように、適宜の箇所に配されている。リブ２１３，２１３，…の内の１つは、基板２１１，２１１間の上部に配されている。
【００２４】
基板２１１，２１１間には、２つの軸部材２２，２２夫々が架設されている。軸部材２２，２２は左右方向に互いに離隔しており、且つ、基体２１の長軸と短軸とで４分割された４つの領域の内、左上の領域及び右上の領域に配されている。
【００２５】
フック２は、滑り止め部材３を備える。
滑り止め部材３は、本体部３１及び２つの揺動片３２，３２を備える。
本体部３１は帯状をなし、本体部３１の長手方向の両端部の間で一面の側を凹（他面の側を凸）として湾曲している。本体部３１の凹側の面を、以下では下面３ａという。本体部３１の凸側の面を、以下では上面３ｂという。
本体部３１の下面３ａには、夫々全幅に亘る複数本の突条３１１，３１１，…が設けられている。突条３１１，３１１，…は、本体部３１の長さ方向に並設されている。
【００２６】
揺動片３２，３２は、本体部３１の上面３ｂにおける長手方向の両端部から立ち上がっている。各揺動片３２と上面３ｂとの間の角度は９０°以下である。
各揺動片３２の先端部は、軸部材２２を介して基体２１に枢支されている。故に、揺動片３２は軸部材２２を中心に揺動可能である。
揺動片３２の枢支のために、揺動片３２の先端部に支持筒３２１が設けられている。支持筒３２１の軸長方向は滑り止め部材３の幅方向に平行である。支持筒３２１は、軸部材２２を中心に回転可能に、軸部材２２に挿通されている。
揺動片３２，３２夫々の先端部が軸部材２２，２２を介して基体２１に枢支されることによって、滑り止め部材３は基体２１の内側に左右方向に架設される。
【００２７】
滑り止め部材３は、適宜の弾性を有し、表面の摩擦係数が高い材料（例えばシリコンゴム）を用いて一体に形成されている。
【００２８】
基体２１の下部から下向きに支軸２３１が突出している。支軸２３１の先端には係合部２３２が設けられている。係合部２３２が橋絡部１４（図１参照）に係合することによって、フック２は橋絡部１４に取り付けられる。
例えば、支軸２３１は円形断面を有する。係合部２３２は、支軸２３１より大径の半球であり、球面が下向きになるようにして、支軸２３１に同軸に連なる。支軸２３１は、橋絡部１４に設けられている図示しない貫通孔に、遊びを有して挿通される。係合部２３２は、橋絡部１４の貫通孔の周縁部に下側から係合する。この結果、フック２は、支軸２３１を中心に回転可能に、橋絡部１４に取り付けられる。
【００２９】
使用者がフック２を物干し竿４に掛止させることによって、図１に示す吊下げ具１は物干し竿４から吊り下げられる。使用者は、フック２を物干し竿４に掛止させる前に、又は、フック２を物干し竿４に掛止させた後で、洗濯挟み１３，１３，…に被吊下げ物（例えば洗濯物）を挟持させることによって、吊下げ具１から被吊下げ物を吊り下げる。
【００３０】
図４は、物干し竿４に掛止される途中のフック２の断面図である。
図５は、物干し竿４に掛止されているフック２の断面図である。
図４及び図５においては、突条３１１，３１１，…の図示は省略している。
物干し竿４は円形断面を有し、前後方向に延びる。図４及び図５に示す物干し竿４は中実であるが、物干し竿４は中空でもよい。
【００３１】
物干し竿４にフック２を掛止させる場合、使用者は、基体２１の欠落部分を、図に向かって右側から物干し竿４に接近させる。物干し竿４は、基体２１の外側から、基体２１の欠落部分を通して、基体２１の内側の下部に受け入れられる（図３参照）。このとき、物干し竿４の周面の上部と滑り止め部材３の本体部３１の下面３ａとが対向する。
【００３２】
使用者は、滑り止め部材３の本体部３１を物干し竿４に上側から載置して、吊下げ具１から手を放す。吊下げ具１の自重及び吊下げ具１に吊り下げられている被吊下げ物の重量により、フック２には下向きの大きな力が働く。図４に示すように、フック２が下がることによって、基体２１の内側にて物干し竿４が相対的に上昇し、滑り止め部材３の本体部３１を下側から押し上げる。押し上げられた本体部３１は上向きに凸状に弾性変形し、本体部３１の長手方向の両端部が互いに接近するので、揺動片３２，３２が互いに接近する方向に揺動する。故に、本体部３１が物干し竿４に巻き付く。本体部３１の下面３ａの側が凹なので（図３参照）、本体部３１は物干し竿４に巻き付く方向に変形し易い。
【００３３】
図５に示すように、フック２が更に下がることによって、揺動片３２，３２は更に揺動して、本体部３１の長手方向の両端部が互いに更に接近する。以上の結果、本体部３１は物干し竿４に確実に巻き付くことができる。
最終的に、本体部３１は基体２１の基板２１１，２１１間（図２参照）に進入する。物干し竿４は基体２１の内側の上部に受け入れられ、物干し竿４の周面の上部は基体２１の内周の上部に接触する。
【００３４】
図６は、物干し竿４によらず滑り止め部材３の本体部３１を変形させた場合のフック２の断面図である。
本体部３１の長手方向の中央部に上向きの外力を加えて、本体部３１を基体２１の基板２１１，２１１間に進入させた場合、本体部３１の長手方向の両端部が最も接近し、本体部３１は最下部が欠けた環状に変形する。
物干し竿４の直径が、環状に変形した本体部３１の左右方向の最大の内法よりも小さい場合、図５に示すように物干し竿４に巻き付いた本体部３１から物干し竿４に、物干し竿４を左右両側から締め付ける力が働く。
【００３５】
図６に示すように、基体２１の基板２１１，２１１間に進入した本体部３１は、基板２１１，２１１間の上部に配されているリブ２１３に下側から接触する。リブ２１３の下端と基体２１の内周の最上端との間の距離は、本体部３１の厚み以下の長さである。故に、本体部３１に設けられている突条３１１，３１１，…は、基体２１の基板２１１，２１１間に進入しない。図５に示すように本体部３１が物干し竿４に巻き付いた場合、突条３１１，３１１，…は、上側から物干し竿４に押し付けられる。
【００３６】
以上のように、使用者が基体２１を物干し竿４に掛止させるだけで、滑り止め部材３の本体部３１が物干し竿４に巻き付く。その上、本体部３１から物干し竿４に左右両側から締め付ける力が働く。更に、本体部３１の突条３１１，３１１，…の効果により、物干し竿４の周方向の滑り止め効果は特に高い。しかも、突条３１１，３１１，…は上側から物干し竿４に押し付けられる。
【００３７】
従って、物干し竿４の周方向にフック２が滑ること（即ち物干し竿４を中心とするフック２の回転）を防止することができる。故に、フック２の物干し竿４からの脱離を防止することができるので、物干し竿４から吊下げ具１が外れて落下する虞がない。
また、物干し竿４の長手方向にフック２が滑ることを防止することができる。故に、吊下げ具１が物干し竿４の長手方向に位置ずれする虞がない。
【００３８】
物干し竿４から吊下げ具１を取り外す場合、使用者は、フック２を持ち上げる。この結果、物干し竿４は基体２１の内側の上部から相対的に下降する（図４参照）。更に、物干し竿４は基体２１の内側の下部に相対的に下降し、滑り止め部材３から離隔する（図３参照）。このとき、本体部３１は弾性によって元の形状に戻り、揺動片３２，３２は互いに離隔する方向に揺動する。
最後に、使用者は、基体２１の欠落部分を通して物干し竿４を基体２１の内側から外側へ抜き出す。
【００３９】
滑り止め部材３の物干し竿４への巻き付きは、使用者が基体２１を物干し竿４に掛止させるだけで実現する。また、滑り止め部材３の物干し竿４からの離隔は、使用者が基体２１を物干し竿４から離脱させるだけで実現する。物干し竿４に対する基体２１の掛脱の際には、例えば操作レバーを操作するような作業は不要である。故に、吊下げ具１を物干し竿４から吊り下げる場合も、吊下げ具１を物干し竿４から取り外す場合も、使用者の負担を軽減することができる。
【００４０】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
【符号の説明】
【００４１】
１      吊下げ具
２      フック
２１    基体
３      滑り止め部材
３１    本体部
３ａ    下面（一面）
３ｂ    上面（他面）
３１１  突条
３２    揺動片
４      物干し竿（棒体）
【図１】
2020062103.tif 000003
【図２】
2020062103.tif 000004
【図３】
2020062103.tif 000005
【図４】
2020062103.tif 000006
【図５】
2020062103.tif 000007
【図６】
2020062103.tif 000008